(57)【要約】【課題】  記録媒体の残量不足に対して、記録を継続しつつ、不要な記録映像を消去する。【解決手段】  ハードディスクの残量が少なくなり（Ｓ１）、自動消去候補が未登録の場合（Ｓ２）、消去候補をユーザに入力させる（Ｓ３〜Ｓ１２）。記録を開始して（Ｓ１４，Ｓ１５）、ハードディスクの残量が少なくなったら（Ｓ１６）、登録済みの消去候補の映像をハードディスクから消去する（Ｓ１７）。【選択図】  図６
2008244659.tif 000002
【特許請求の範囲】
【請求項１】
書き込み及び消去が可能な記録媒体に映像を記録する映像記録装置において、
前記記録媒体の記録映像から自動消去候補映像を選び出す際の表示カテゴリを選択する表示カテゴリ選択ステップと、
前記記録媒体の残容量が第１の残容量基準値より少なくなると、前記表示カテゴリに従い前記記録映像の一覧を表示する一覧表示ステップと、
前記一覧表示ステップで表示される映像の中から消去候補を選択する消去候補選択ステップと、
前記記録媒体の残容量が前記残容量基準値より少ない第２の残容量基準値より少なくなると、前記選択ステップで選択された消去候補を前記記録媒体から消去する消去ステップ
とからなることを特徴とする映像消去方法。
【請求項２】
書き込み及び消去が可能な記録媒体に映像を記録する映像記録装置において、
前記記録媒体の記録映像から自動消去候補映像を選び出す際の表示カテゴリを詳細度の異なる複数の段階で選択する表示カテゴリ選択ステップと、
前記記録媒体の残容量が第１の残容量基準値より少なくなると、前記表示カテゴリに従い前記記録映像の一覧を表示する一覧表示ステップと、
前記一覧表示ステップで表示される映像の中から消去候補を選択する消去候補選択ステップと、
前記記録媒体の残容量が前記第１の残容量基準値より少ない第２の残容量基準値より少なくなると、前記選択ステップで選択された消去候補を前記記録媒体から消去する消去ステップ
とからなることを特徴とする映像消去方法。
【請求項３】
前記記録媒体はランダムアクセスな記録媒体であり、また前記記録映像は個別又は一括のファイル形式で記録されていることを特徴とする請求項１又は２に記載の映像消去方法。
【請求項４】
前記一覧表示ステップは、前記記録映像の代表画面と、ファイル名、カテゴリ及び日時などの付随データをリスト表示することを特徴とする請求項１乃至３の何れか１項に記載の映像消去方法。
【請求項５】
予め決められたモード遷移のタイミングで前記記録媒体の残容量をチェックするチェックステップを有することを特徴とする請求項１乃至４の何れか１項に記載の映像消去方法。
【請求項６】
前記予め決められたモード遷移を、ユーザが事前に登録できることを特徴とする請求項５に記載の映像消去方法。
【請求項７】
書き込み及び消去が可能な記録媒体に映像を記録する映像記録装置において、
前記記録媒体の記録映像から自動消去候補映像を選び出す際の表示カテゴリを詳細度の異なる複数の段階で選択する表示カテゴリ選択ステップと、
前記記録媒体の残容量が第１の残容量基準値より少なくなると、前記表示カテゴリ選択ステップで選択された表示カテゴリの中から消去候補を選択する消去候補選択ステップと、
前記記録媒体の残容量が前記第１の残容量基準値より少ない第２の残容量基準値より少なくなると、前記選択ステップで選択された消去候補を前記記録媒体から消去する消去ステップ
とからなることを特徴とする映像消去方法。
【請求項８】
前記消去候補選択ステップは、日付とファイルの大きさに従い前記消去候補を抽出することを特徴とする請求項７に記載の映像消去方法。
【請求項９】
書き込み及び消去が可能な記録媒体に映像を記録する映像記録装置において、
記録しようとする映像の記録データ量に関する記録情報を入力する記録情報入力ステップと、
前記記録媒体の残容量が第１の残容量基準値より少なくなると、前記記録情報を参照して、前記記録媒体の記録映像から消去候補を選択する消去候補選択ステップと、
前記記録媒体の残容量が前記第１の残容量基準値より少ない第２の残容量基準値より少なくなると、前記選択ステップで選択された消去候補を前記記録媒体から消去する消去ステップ
とからなることを特徴とする映像消去方法。
【請求項１０】
前記記録情報は、記録しようとする映像の記録時間と記録モードを有することを特徴とする請求項９に記載の映像消去方法。
【発明の詳細な説明】
【技術分野】
【０００１】
本発明は、映像消去方法に関する。
【背景技術】
【０００２】
近年、磁気テープに代わる新たな映像記録媒体として、デジタル多用途ディスク（ＤＶＤ）やハードディスクが使用されることが多くなった。具体的な装置構成としては、ＤＶＤドライブと取り外し不可能な大容量ハードディスクを具備する据え置き型の構成や、記録容量は少ないが取り外しが可能な小型ハードディスクを使用した構成等がある。
【０００３】
これらのディスク状記録媒体はランダムアクセスな記録媒体であり、頭出しが容易である。ハードディスクのようにアクセス速度が速ければ、記録と再生を同時に実行可能である。映像はファイル形式でディスク状記録媒体に記録される。画面表示された記録映像のリストから所望の映像を選択することで、見たいシーンや番組を瞬時に呼び出すことが可能である。
【０００４】
ハードディスクの値段は、磁気テープ等に比べると非常に高価である。そこで、取り外し可能な否かにかかわらず、ハードディスクの残り容量が少なくなった場合には、不必要となった映像を消去するか、別のメディアにコピー又は移動する必要がある。このような問題を解決するために、ハードディスクの残り容量が少なくなった場合には、一度見た番組や、記録日付が古い番組を自動的に消去して容量を確保する構成が、提案されている（特許文献１，２）。
【特許文献１】特開２００２−１１２１５０号公報
【特許文献２】特開平１１−６６６９４号公報
【発明の開示】
【発明が解決しようとする課題】
【０００５】
しかしながら、特許文献１，２に記載の技術では、ユーザが必要とする映像が自動的に消去されてしまう可能性がある。
【０００６】
本発明は、このような不都合を生じない映像消去方法を提示することを目的とする。
【課題を解決するための手段】
【０００７】
本発明に係る映像消去方法は、書き込み及び消去が可能な記録媒体に映像を記録する映像記録装置において、前記記録媒体の記録映像から自動消去候補映像を選び出す際の表示カテゴリを選択する表示カテゴリ選択ステップと、前記記録媒体の残容量が第１の残容量基準値より少なくなると、前記表示カテゴリに従い前記記録映像の一覧を表示する一覧表示ステップと、前記一覧表示ステップで表示される映像の中から消去候補を選択する消去候補選択ステップと、前記記録媒体の残容量が前記残容量基準値より少ない第２の残容量基準値より少なくなると、前記選択ステップで選択された消去候補を前記記録媒体から消去する消去ステップとからなることを特徴とする。
【０００８】
本発明に係る映像消去方法は、書き込み及び消去が可能な記録媒体に映像を記録する映像記録装置において、前記記録媒体の記録映像から自動消去候補映像を選び出す際の表示カテゴリを詳細度の異なる複数の段階で選択する表示カテゴリ選択ステップと、前記記録媒体の残容量が第１の残容量基準値より少なくなると、前記表示カテゴリに従い前記記録映像の一覧を表示する一覧表示ステップと、前記一覧表示ステップで表示される映像の中から消去候補を選択する消去候補選択ステップと、前記記録媒体の残容量が前記第１の残容量基準値より少ない第２の残容量基準値より少なくなると、前記選択ステップで選択された消去候補を前記記録媒体から消去する消去ステップとからなることを特徴とする。
【０００９】
本発明に係る映像消去方法は、書き込み及び消去が可能な記録媒体に映像を記録する映像記録装置において、前記記録媒体の記録映像から自動消去候補映像を選び出す際の表示カテゴリを詳細度の異なる複数の段階で選択する表示カテゴリ選択ステップと、前記記録媒体の残容量が第１の残容量基準値より少なくなると、前記表示カテゴリ選択ステップで選択された表示カテゴリの中から消去候補を選択する消去候補選択ステップと、前記記録媒体の残容量が前記第１の残容量基準値より少ない第２の残容量基準値より少なくなると、前記選択ステップで選択された消去候補を前記記録媒体から消去する消去ステップとからなることを特徴とする。
【００１０】
本発明に係る映像消去方法は、書き込み及び消去が可能な記録媒体に映像を記録する映像記録装置において、記録しようとする映像の記録データ量に関する記録情報を入力する記録情報入力ステップと、前記記録媒体の残容量が第１の残容量基準値より少なくなると、前記記録情報を参照して、前記記録媒体の記録映像から消去候補を選択する消去候補選択ステップと、前記記録媒体の残容量が前記第１の残容量基準値より少ない第２の残容量基準値より少なくなると、前記選択ステップで選択された消去候補を前記記録媒体から消去する消去ステップとからなることを特徴とする。
【発明の効果】
【００１１】
本発明によれば、ユーザが不必要と思う映像を消去しながら、記録を継続することが可能になる。
【発明を実施するための最良の形態】
【００１２】
以下、図面を参照して、本発明の実施例を詳細に説明する。
【実施例１】
【００１３】
図１は、カメラ一体型ハードディスクレコーダである映像記録装置に適用した本発明の一実施例の概略構成ブロック図を示す。
【００１４】
本実施例の基本的な記録動作を説明する。カメラユニット１０は、図示しない撮影レンズによる光学像を電気画像信号に変換し、映像データを出力する。映像インターフェース１２は、カメラユニット１０からの映像データをＳＤＲＡＭ１４に書き込むと共に、モニタ表示用に混合器２６にも供給する。混合器２６は、ビットマップ表示装置２４からのビットマップ画像に映像インターフェース１２からの映像データを混合し、液晶表示パネル（ＬＣＤ）２８に印加する。これにより、記録中の映像をＬＣＤ２８の画面上で確認できる。ＳＤＲＡＭ１４は、映像信号の圧縮伸長、及び記録再生のためのバッファとして使用される。
【００１５】
ＭＰＥＧコーデック１６は、ＳＤＲＡＭ１４に記憶されるデジタル映像信号を読み出し、ＭＰＥＧ方式で圧縮し、圧縮映像データをＳＤＲＡＭ１４に書き戻す。ＳＤＲＡＭ１４の圧縮映像データは、ハードディスクインターフェース１８を介して、記録媒体としてのハードディスク２０に格納される。
【００１６】
再生時の基本動作を説明する。ユーザにより指定された圧縮映像データがハードディスク２０から読み出され、ハードディスクインターフェース１８によりＳＤＲＡＭ１４に書き込まれる。ＭＰＥＧコーデック１６は、ＳＤＲＡＭ１４の圧縮映像データを伸長して映像データを復元し、復元された映像データ（再生映像データ）は、ＳＤＲＡＭ１４に書き込まれる。映像インターフェース１２は、ＳＤＲＡＭ１４の再生映像データを読み出し、混合器２６に印加する。混合器２６は、ビットマップ表示装置２４からのビットマップ画像に映像インターフェース１２からの再生映像データを混合し、液晶表示パネル（ＬＣＤ）２８に印加する。これにより、再生映像をＬＣＤ２８の画面上で確認できる。
【００１７】
ＣＰＵ２２が、これらブロック全体の動作を制御する。ＣＰＵ２２は、ビットマップ表示装置２４に画面表示のビットマップパターン及び色の設定を書き込む。ビットマップ表示装置２４は、設定されたビットマップパターン及び色のビットマップ画像を混合器２６に出力する。これにより、ＬＣＤ２８の画面上に種々のユーザインターフェースを表現できる。
【００１８】
操作装置３０は、種々のスイッチ又はキーなどからなり、ＣＰＵ２２に動作モード及び再生すべき映像等を指示するのに使用される。具体的には、カメラ／電源オフ／再生の３ポジションを持つ電源スイッチを有する。映像の記録／終了を指示するスタート／ストップスイッチがある。ハードディスク２０に記録されている映像の再生を制御するレコーダキー群がある。ＧＵＩ（Graphical User Interface）操作のための十字キーと確定キーがある。ＧＵＩ操作の取り消しを行うための取り消しキーがある。メニュー設定画面を呼び出すためのメニューキーがある。
【００１９】
図２を参照して、ＳＤＲＡＭ１４のマッピング構造を説明する。ＳＤＲＡＭ１４には、ビデオメモリ１４ａ、ＭＰＥＧバッファ１４ｂ、ＶＲＯバッファ１４ｃ及びＩＦＯバッファ１４ｄが設定される。
【００２０】
ビデオメモリ１４ａには、映像インターフェース１２によりカメラユニット１０からの映像データが、ＹＣｒＣｂ形式で書き込まれる。ビデオメモリ１４ａは２バンク構成で、映像インターフェース１２による書き込みとＭＰＥＧコーデック１６による読み出しが、それぞれ別のバンクに対して行われる。
【００２１】
ＭＰＥＧバッファ１４ｂは、ＭＰＥＧコーデック１６による映像データの圧縮伸長の作業領域として使用される。ＭＰＥＧ方式によるフレーム間圧縮は、ＭＰＥＧバッファ１４ｂを用いて３フレーム画像の単位で行われる。ＭＰＥＧコーデック１６で圧縮された映像データは、ＶＲＯバッファ１４ｃにストリームデータとして書き込まれる。ＶＲＯバッファ１４ｃはリング状の構成となっており、書き込みアドレスが所定の番地に達すると、先頭アドレスに戻って、データを上書きしていくように動作する。ＶＲＯバッファ１４ｃに書き込まれたストリームデータは、ハードディスクインターフェース１８によって順次読み出され、ハードディスク２０に書き込まれる。
【００２２】
ＩＦＯバッファ１４ｄは、ハードディスク２０の管理情報及び自動消去ファイル情報をＣＰＵ２２が編集する際の作業領域となる。
【００２３】
図３は、ハードディスク２０のデータ構造を示す。ハードディスク２０には、管理情報４０、映像ストリームデータ４２及び自動消去情報４４の３種類のデータファイルがある。ここでは、管理情報ファイル４０をＶＲ＿ＭＯＶＩＥ．ＩＦＯと名付ける。映像ストリームデータファイル４２をＶＲ＿ＭＯＶＩＥ．ＶＲＯと名付ける。自動消去情報ファイル４４をＡＵＴＯ＿ＤＥＬ．ＩＦＯと名付ける。
【００２４】
映像ストリームデータファイル４２には、撮影された映像データがＭＰＥＧ方式で圧縮されて、順次、追加記録される。映像ストリームデータファイル４２内のストリーム４２−１〜４２−６を管理しているのが管理情報ファイル４０である。各映像ストリーム４２−１〜４２−６を個別のファイルとして保存しても良い。管理情報ファイル４０は、映像ストリームデータファイル４２の各映像ストリームに対して、データ先頭のアドレス、映像名、撮影日時、代表画面のアドレス、及びユーザが映像を整理・格納するためのフォルダ情報などを保持する。
【００２５】
自動消去情報ファイル４４には、自動消去候補映像に対応したストリーム番号が書き込まれている。自動消去候補は、後述するユーザインターフェース画面を用いてユーザが選択する。又は、ユーザは、自動消去条件を予め選択又は指定しておき、ＣＰＵ２２が、必要時にこの自動消去条件に従い記録済み映像から消去すべき映像を選択してもよい。ＣＰＵ２２は、ハードディスク２０の残り容量が少なくなって自動消去が実行されるときに、自動消去情報ファイル４４を参照し、消去映像を決定する。
【００２６】
図４は、自動消去候補となる映像の登録を促すメッセージ例を示す。カメラユニット１０の撮影映像に重ねて、自動消去候補の登録を促すダイアログ５０が、ＬＣＤ２８の画面上に表示される。図４に示す例では、記録が一時停止され、一時停止状態であることと記録時間を示すメッセージ５２も、表示されている。
【００２７】
ダイアログ５０でユーザが「する」を選択した場合、ＣＰＵ２２は、図５に例示する消去候補選択ウインドウをＬＣＤ２８の画面に表示させる。ダイアログ５０でユーザが「しない」を選択した場合、ダイアログ５０が消去され、撮影映像のみの表示情態に戻る。
【００２８】
図５は、自動消去候補映像を選択するウインドウ例を示す。記録映像情報６０がリスト表示される。記録映像情報６０として、代表画像６２、及び撮影日時等の付随データが表示される。各記録映像情報６０の先頭に、消去の可否のチェックボックス６４が付けられる。選択中の記録映像情報の周囲には、選択枠６６又はカーソルが表示される。操作装置３０の移動キーで選択枠を別の記録映像情報に移動でき、確定キーで、消去対象とするか否かを選択できる。一括ボタン６８で、リスト表示される全記録映像を一括選択できる。
【００２９】
カテゴリ７０でリストの対象と表示順を指定できる。カテゴリ７０を選択することが、特許請求の範囲のカテゴリ選択ステップに相当する。図５では、カテゴリ７０の日付順が選択されている。同日付のファイル数と、その合計容量が表示される。容量順が選択された場合、容量の大きなファイル順でソートして表示される。カテゴリ順を選択した場合は、海外旅行、釣り又は京都など、ユーザが自由に名前を付けたカテゴリ毎に表示される。即ち、表示カテゴリを詳細度の異なる複数の段階で選択し、消去候補を絞り込むことができる。送信済みを選択した場合、ファイル転送でコンピュータ等の外部機器や外部記憶装置にファイルを転送済みであるファイルだけが表示される。
【００３０】
ガイド表示７２は、各時点でユーザがすべき操作を表示する。
【００３１】
ユーザは、選択枠６６で何れかの映像を選択した状態で確定キーを押下すると、その映像のチェックボックス６４内にチェックマークが表示され、自動消去対象として登録される。また、チェックマークが表示されている映像を選択して確定キーを押下すると、チェックマークが消えて、自動消去対象から外される。リストアップされた映像が多数ある場合には、カーソルを下方向に移動すればページが切り換わり、次の映像を確認・登録することが可能である。これらの処理は、特許請求の範囲の消去候補選択ステップに相当する。
【００３２】
必要な映像の登録が終了した後に戻りキーを押下すると、消去対象となった映像の映像番号が、自動消去情報ファイル４４に書き込まれ、元の記録一時停止状態に戻る。
【００３３】
図６を参照して、本実施例の映像消去方法を説明する。図６は、電源投入時から消去候補映像の登録及び映像データの自動消去までの手順のフローチャートを示す。図６に示すフローチャートによる手順は全て、ＣＰＵ２２により制御される。
【００３４】
電源スイッチの操作によりカメラモードで電源がオンされると、記録一時停止状態となる。この状態で、ＣＰＵ２２は、ハードディスク２０の残容量をチェックする（Ｓ１）。一般的には、動作モードの遷移のタイミングでハードディスク２０の残容量をチェックする。どのモード遷移に対して残容量をチェックするかは、ユーザが事前に登録できるのが望ましい。
【００３５】
具体的には、予め設定されている第１の残容量基準値（Ｒ１）とハードディスク２０の残容量（Ｒｃ）とを比較する。基準値（Ｒ１）よりも残容量（Ｒｃ）の方が少ない場合（Ｒ１＞Ｒｃ）、自動消去情報ファイル４４に自動消去候補映像が登録されているか否かを調べる（Ｓ２）。自動消去候補映像が１つでも登録されていれば（Ｓ１２）、ステップＳ１３に移動する。
【００３６】
自動消去候補映像が１つも登録されていなければ（Ｓ２）、図４に示したように、自動消去候補となる映像の登録を促すダイアログを表示する（Ｓ３）。ユーザが消去候補を入力ないと決定した場合には（Ｓ４）、ダイアログを消去して（Ｓ５）、ステップＳ１３に移動する。
【００３７】
消去候補を入力する場合（Ｓ４）、ＣＰＵ２２は、予め決められた条件に従い自動消去候補リストを作成し（Ｓ６）、図５に示す自動消去候補映像選択のためのリストウインドウを表示する（Ｓ７）。ステップＳ６，Ｓ７は、特許請求の範囲の一覧表示ステップに対応する。ユーザは、このリストウインドウに対するユーザ操作で（Ｓ８）、自動消去候補を選択する画面が指定のカテゴリに従って表示される（Ｓ９）。この画面上で、ユーザが自動消去の候補とする映像を選択する（Ｓ１０）。ステップＳ１０が、特許請求の範囲の消去候補選択ステップに相当する。リストウインドウを消去する操作で（Ｓ１１）、消去候補として選択された映像の番号が自動消去情報ファイル４４に書き込まれ（Ｓ１２）、ステップＳ１３に移動する。
【００３８】
ステップＳ１３では、ユーザが電源オフの操作又は記録開始の操作をしたかどうかが調べられる（Ｓ１３，Ｓ１４）。電源オフの操作に対して（Ｓ１３）、ＣＰＵ２２は、本実施例の装置の電源をオフにする。
【００３９】
記録開始の操作に対して（Ｓ１４）、ＭＰＥＧコーデック１６による圧縮、及びハードディスク２０への記録を開始する（Ｓ１５）。記録中、適宜の間隔でハードディスク２０の残量をチェックする（Ｓ１６）。ハードディスク２０の残量Ｒｃが第２の基準値（Ｒ２）より少なかったら（Ｓ１６）、自動消去情報ファイル４４の先頭に記録されている自動消去候補の映像ストリームをハードディスク２０から消去する（Ｓ１７）。ステップＳ１７が特許請求の範囲の消去ステップに相当する。具体的には、この映像ストリームの情報を管理情報ファイル４０から消去する。記録終了操作があるまで（Ｓ１８）、ステップＳ１６，Ｓ１７が繰り返される。
【００４０】
ユーザの記録終了操作で（Ｓ１８）、記録終了処理を実行する（Ｓ１９）。具体的には、この映像ストリームに関する管理情報４０の情報を確定する。この後、ステップＳ１に戻る。
【００４１】
ＨＤＤ残容量減少時の映像自動消去に関して、ユーザは、幾つかの項目を事前に設定できる。図７は、図４に示す自動消去候補登録を促すメッセージを表示するタイミングを予め規定するユーザ設定メニュー画面の例である。
【００４２】
図７に示す例では、電源投入直後、記録一時停止時、記録中に残容量が少なくなったとき、又は、記録モード切り換え時（例えば、高圧縮モードから低圧縮モードに切り換えて、記録可能時間が少なくなってしまった場合）に表示できる。チェックボックス内にチェックマークがつけられている場合に、メッセージが表示される。この場合、先に説明した図６のフローチャート図とは多少異なる動作となるが、その説明は割愛する。
【００４３】
あまりに頻繁にこのメッセージが表示されるのは逆に煩わしい場合も考えられる。そのような場合には、一度メッセージが表示されたら、次に電源がオンになるまで、同様のメッセージを表示しないようにすることもできる。勿論、このようなメッセージを一切表示しないように設定することも可能である。
【００４４】
図８は、消去候補選択ウインドウの別の構成例を示す。図５の一括ボタン６８の代わりに、お勧めボタン７４が配置されている。その他の要素とその機能は、図５に示す例と同じである。
【００４５】
ユーザがお勧めボタン７４を選択すると、図９に示す記録時間／記録モード入力ウインドウが表示される。この記録時間／記録モード入力ウインドウで、ユーザは、これから記録する映像の記録時間と記録モードを指定する。この処理が特許請求の範囲の記録情報入力ステップに相当する。記録モードは、例えば、高画質／標準／長時間などの画質に関するモードである。ＣＰＵ２２は、入力された記録時間と記録モードから、今後の記録に必要な容量を算出して、その容量に合ったファイルを抽出する。図１０は、抽出された映像の一覧表示例を示す。抽出された映像の代表画像８０が表示される。ユーザは、リストされた映像から消去して良い映像を選択し、「確定」キーを押下する。この操作により、その映像のチェックボックス８２にチェックマークが表示され、自動消去対象として登録される。また、チェックマークが表示されている映像を選択して「確定」キーを押下すると、チェックマークが消えて、登録がキャンセルされる。
【００４６】
抽出された映像が多数ある場合には、カーソルを下方向に移動すればページが切り換わり、次の映像を確認・登録することが可能である。
【００４７】
消去対象の映像の登録が終了した後に、ユーザが「戻る」キーを押下すると、この画面で登録された映像の映像番号が、自動消去情報ファイル４４に書き込まれる。
【００４８】
以上の実施例では、消去候補をリストから選択した。しかし、上記実施例は、消去しない映像をリストから選択し、選択された映像以外の全ての映像を消去候補としていることと実質的に同じであることは明らかである。
【図面の簡単な説明】
【００４９】
【図１】本発明の一実施例の概略構成ブロック図である。
【図２】ＳＤＲＡＭ１４内のバッファ構成例である。
【図３】ハードディスク２０のデータ構造例である。
【図４】消去候補の登録を促すメッセージダイアローグの一例である。
【図５】自動消去候補選択ウインドウの一例である。
【図６】本実施例の動作フローチャートである。
【図７】自動消去候補登録メッセージの表示タイミングの設定メニュー例である。
【図８】自動消去候補選択ウインドウの別の例である。
【図９】記録しようとする映像の記録時間と記録モードの入力ウインドウ例である。
【図１０】これから記録する映像に見合うデータ量の映像を消去候補とする自動消去候補選択ウインドウの例である。
【符号の説明】
【００５０】
１０：カメラユニット
１２：映像インターフェース
１４：ＳＤＲＡＭ
１４ａ：ビデオメモリ
１４ｂ：ＭＰＥＧバッファ
１４ｃ：ＶＲＯバッファ
１４ｄ：ＩＦＯバッファ
１６：ＭＰＥＧコーデック
１８：ハードディスクインターフェース
２０：ハードディスク
２２：ＣＰＵ
２４：ビットマップ表示装置
２６：混合器
２８：液晶表示パネル（ＬＣＤ）
３０：操作装置
４０：管理情報ファイル（ＶＲ＿ＭＯＶＩＥ．ＩＦＯ）
４２：映像ストリームデータファイル（ＶＲ＿ＭＯＶＩＥ．ＶＲＯ）
４４：自動消去情報ファイル（ＡＵＴＯ＿ＤＥＬ．ＩＦＯ）
６０：記録映像情報
６２：代表画像
６４：チェックボックス
６６：選択枠又はカーソル
６８：一括ボタン
７０：カテゴリ
７２：ガイド表示
【図１】
2008244659.tif 000003
【図２】
2008244659.tif 000004
【図３】
2008244659.tif 000005
【図４】
2008244659.tif 000006
【図５】
2008244659.tif 000007
【図６】
2008244659.tif 000008
【図７】
2008244659.tif 000009
【図８】
2008244659.tif 000010
【図９】
2008244659.tif 000011
【図１０】
2008244659.tif 000012
【手続補正書】
【提出日】平成19年5月7日(2007.5.7)
【手続補正１】
【補正対象書類名】特許請求の範囲
【補正対象項目名】請求項４
【補正方法】変更
【補正の内容】
【請求項４】
前記一覧表示ステップは、前記記録映像の代表画面と、ファイル名、カテゴリ及び日時の少なくとも１つを含む付随データをリスト表示することを特徴とする請求項１乃至３の何れか１項に記載の映像消去方法。